(57)【要約】【課題】浴槽と窓を有する壁部との配置を考慮して使用者が安全に入浴できるようにした浴室用手摺を提供する。【解決手段】浴室４の壁部２に互いに平行に対峙して固定される横手摺体と、これら横手摺体の間に垂直方向に配設されると共に、横手摺体の長手方向に沿って移動可能な縦手摺体とを具備する浴室用手摺において、横手摺体は、上方に設けられる上部横手摺体１０ａと、この上部横手摺体１０ａの下方に位置し、上部横手摺体１０ａよりも壁部２から離間して設けられる下部横手摺体１０ｂとを具備し、縦手摺体１２は下方に向かって壁部２から離間する傾斜状に設けられる。【選択図】    図１
2014150810.tif 000002
【特許請求の範囲】
【請求項１】
浴室の壁部に互いに平行に対峙して固定される横手摺体と、これら横手摺体の間に垂直方向に配設されると共に、横手摺体の長手方向に沿って移動可能な縦手摺体とを具備する浴室用手摺であって、
前記横手摺体は、上方に設けられる上部横手摺体と、この上部横手摺体の下方に位置し、上部横手摺体よりも前記壁部から離間して設けられる下部横手摺体とを具備し、
前記縦手摺体は下方に向かって前記壁部から離間する傾斜状に設けられる、ことを特徴とする浴室用手摺。
【請求項２】
請求項１に記載の浴室用手摺において、
前記上部横手摺体は、この上部横手摺体の両端部を支持するブラケットを介して前記壁部に固定され、前記下部横手摺体は、この下部横手摺体の両端部を支持するブラケットと、一端が前記ブラケットの径と略同径に形成され、他端が拡径する截頭円錐状に形成されるスペーサとを介して前記壁部に固定される、ことを特徴とする浴室用手摺。
【請求項３】
請求項１又は２に記載の浴室用手摺において、
前記下部横手摺体の略中央部は、この下部横手摺体を下方から支持するエルボ状のセンターブラケットと、一端が前記センターブラケットの径と略同径に形成され、他端が拡径する截頭円錐状に形成されるスペーサとを介して前記壁部に固定される、ことを特徴とする浴室用手摺。
【請求項４】
請求項３に記載の浴室用手摺において、
前記センターブラケットは、前記下部横手摺体の下面部を支持する下部横手摺体と略同径の合成樹脂製の支持部材と、この支持部材に当接する上面が前記支持部材と同径を有する合成樹脂製のエルボ部材と、前記支持部材とエルボ部材の両当接面側に開口する周溝内に嵌挿され、固定部材により固定される筒状のジョイント金具と、前記エルボ部材の当接面側に設けられる受けナットと、前記下部横手摺体と支持部材を貫通して前記受けナットにねじ結合する取付ボルトとを具備する、ことを特徴とする浴室用手摺。
【請求項５】
請求項１ないし４のいずれかに記載の浴室用手摺において、
前記下部横手摺体は、前記壁部に隣接する側壁部に固定される横手摺体に接続される、ことを特徴とする浴室用手摺。
【発明の詳細な説明】
【技術分野】
【０００１】
この発明は浴室用手摺に関するもので、更に詳細には、特に浴槽と窓を有する壁部との配置を考慮して使用者が安全に入浴できるようにした浴室用手摺に関するものある。
【背景技術】
【０００２】
一般に、浴室における浴槽に近接する壁部には、使用者の浴槽内への入浴動作を楽にするために手摺が設けられている。この手摺を設置するに当って、特に高齢者や身障者にとって入浴動作を楽にするための配慮が必要であり、例えば、一般に水平方向に設置される横手摺の他に、垂直方向に設置される縦手摺を設置するなどの配慮が必要である。
【０００３】
このような手摺構造として、浴槽に沿った壁部に２本の平行な横手摺体を設け、これら横手摺体間を縦手摺体がスライド可能かつ固定可能に設けた浴室用手摺が知られている（例えば、特許文献１参照）。
【０００４】
特許文献１に記載の手摺は、使用者の体格等に合わせて適当な位置に縦手摺体を固定することにより、安全に入浴を行うことができるものである。
【０００５】
ところで昨今、浴室に窓を設け、外の景色を眺めつつ安全に入浴を行いたいという要求があり、これに応える必要がある。
【先行技術文献】
【特許文献】
【０００６】
【特許文献１】特許第４７８５１３７号公報（特許請求の範囲、図１）
【発明の概要】
【発明が解決しようとする課題】
【０００７】
しかしながら、壁部に窓を設けた場合に、特許文献１に記載の浴室用手摺を適用すると、浴槽と窓との配置の関係で使用者が容易に手摺に掴まることができない懸念があった。
【０００８】
この発明は、前記事情に鑑みてなされたもので、浴槽と窓を有する壁部との配置を考慮して使用者が安全に入浴できるようにした浴室用手摺を提供することを課題とするものである。
【課題を解決するための手段】
【０００９】
前記課題を解決するために、請求項１記載の発明は、浴室の壁部に互いに平行に対峙して固定される横手摺体と、これら横手摺体の間に垂直方向に配設されると共に、横手摺体の長手方向に沿って移動可能な縦手摺体とを具備する浴室用手摺であって、前記横手摺体は、上方に設けられる上部横手摺体と、この上部横手摺体の下方に位置し、上部横手摺体よりも前記壁部から離間して設けられる下部横手摺体とを具備し、前記縦手摺体は下方に向かって前記壁部から離間する傾斜状に設けられる、ことを特徴とする。
【００１０】
このように構成することにより、下部横手摺体を上部横手摺体よりも壁部から離間して設けるので、使用者は浴槽内から下部横手摺体や縦手摺体の下端部側を容易に掴むことができる。また、窓の上下に上部横手摺体と下部横手摺体を取り付けるような場合においても、窓枠をかわすことができるので施工性が良好となる。
【００１１】
請求項２に記載の発明は、請求項１に記載の浴室用手摺において、前記上部横手摺体は、この上部横手摺体の両端部を支持するブラケットを介して前記壁部に固定され、前記下部横手摺体は、この下部横手摺体の両端部を支持するブラケットと、一端が前記ブラケットの径と略同径に形成され、他端が拡径する截頭円錐状に形成されるスペーサとを介して前記壁部に固定される、ことを特徴とする。
【００１２】
このように構成することにより、上部横手摺体及び下部横手摺体のブラケット自体を共通化することができると共に、スペーサを使用して壁部からの離間間隔を調整することができる。また、スペーサは、一端がブラケットの径と略同径に形成され、他端が拡径する截頭円錐状に形成されて壁部に固定されるので、設置面積が大きくなり、荷重を有効に分散させることができる。
【００１３】
請求項３に記載の発明は、請求項１又は２に記載の浴室用手摺において、前記下部横手摺体の略中央部は、この下部横手摺体を下方から支持するエルボ状のセンターブラケットと、一端が前記センターブラケットの径と略同径に形成され、他端が拡径する截頭円錐状に形成されるスペーサとを介して前記壁部に固定される、ことを特徴とする。
【００１４】
このように構成することにより、使用時に生じる下部横手摺体の略中央部の撓みを抑制することができると共に、縦手摺体のスライド動作に支障を来すのを防止することができる。また、スペーサを使用して壁部からの離間間隔を調整することができる。また、スペーサは、一端がセンターブラケットの径と略同径に形成され、他端が拡径する截頭円錐状に形成されて壁部に固定されるので、設置面積が大きくなり、荷重を有効に分散させることができる。
【００１５】
請求項４に記載の発明は、請求項３に記載の浴室用手摺において、前記センターブラケットは、前記下部横手摺体の下面部を支持する下部横手摺体と略同径の合成樹脂製の支持部材と、この支持部材に当接する上面が前記支持部材と同径を有する合成樹脂製のエルボ部材と、前記支持部材とエルボ部材の両当接面側に開口する周溝内に嵌挿され、固定部材により固定される筒状のジョイント金具と、前記エルボ部材の当接面側に設けられる受けナットと、前記下部横手摺体と支持部材を貫通して前記受けナットにねじ結合する取付ボルトとを具備する、ことを特徴とする。
【００１６】
このように構成することにより、使用者はセンターブラケットが邪魔にならずに下部横手摺体を容易に掴むことができる。また、センターブラケットの主要部の支持部材とエルボ部材を合成樹脂製部材にて形成し、支持部材とエルボ部材をジョイント金具にて連結するので、センターブラケットの強度を保ちつつ軽量かつ低コスト化を図ることができる。
【００１７】
請求項５に記載の発明は、請求項１ないし４のいずれかに記載の浴室用手摺において、  前記下部横手摺体は、前記壁部に隣接する側壁部に固定される横手摺体に接続される、ことを特徴とする。
【００１８】
このように構成することにより、下部横手摺体を隣接する側壁部に延長して設けることができるので、浴室入口から伝い歩きが可能となる。
【発明の効果】
【００１９】
この発明の浴室用手摺は、前記のように構成されているので、以下のような効果が得られる。
【００２０】
（１）請求項１に記載の発明によれば、使用者は浴槽内から下部横手摺体や縦手摺体の下端部側を容易に掴むことができる。したがって、浴槽と窓を有する壁部との配置を考慮して使用者が安全に入浴することができる。また、窓の上下に上部横手摺体と下部横手摺体を取り付けるような場合においても、窓枠をかわすことができるので、施工を容易に行うことができる。
【００２１】
（２）請求項２に記載の発明によれば、上部横手摺体及び下部横手摺体のブラケット自体を共通化することができると共に、スペーサを使用して壁部からの離間間隔を調整することができるので、部品点数の削減及びコストの低廉化が図れると共に、浴槽と窓を有する壁部との配置関係に応じて下部横手摺体の壁部からの離間間隔を容易に調整することができる。また、スペーサは、一端がブラケットの径と略同径に形成され、他端が拡径する截頭円錐状に形成されて壁部に固定されるので、設置面積が大きくなり、荷重を有効に分散させることができる。
【００２２】
（３）請求項３に記載の発明によれば、使用時に生じる下部横手摺体の撓みを抑制し、縦手摺体のスライド動作に支障を来すのを防止することができるので、使用者は安全に使用することができる。また、スペーサを使用して壁部からの離間間隔を調整することができるので、浴槽と窓を有する壁部との配置関係に応じて下部横手摺体の壁部からの離間間隔を容易に調整することができる。更に、スペーサは、一端がセンターブラケットの径と略同径に形成され、他端が拡径する截頭円錐状に形成されて壁部に固定されるので、設置面積が大きくなり、荷重を有効に分散させることができる。
【００２３】
（４）請求項４に記載の発明によれば、使用者はセンターブラケットが邪魔にならずに下部横手摺体を容易に掴むことができるので、下部横手摺体の広い範囲に渡って使用することができる。また、センターブラケットの主要部の支持部材とエルボ部材を合成樹脂製部材にて形成し、支持部材とエルボ部材をジョイント金具にて連結するので、センターブラケットの強度を保ちつつ軽量かつ低コスト化を図ることができる。
【００２４】
（５）請求項５に記載の発明によれば、下部横手摺体を隣接する側壁部に延長して設けることで、浴室入口から伝い歩きが可能となるので、更に使用者に安心感を与えると共に、安全性に寄与することができる。
【図面の簡単な説明】
【００２５】
【図１】この発明に係る浴室用手摺の第１実施形態の使用状態を示す概略斜視図である。
【図２】この発明における上部横手摺体とエンドブラケットの取付状態を示す横断面図である。
【図３】この発明における上部横手摺体と中間ブラケットの取付状態を示す横断面図である。
【図４】第１実施形態における下部横手摺体の取付状態を示す縦断面図である。
【図５】第１実施形態における下部横手摺体の取付状態を示す横断面図である。
【図６】この発明に係る浴室用手摺の第２実施形態の使用状態を示す概略斜視図である。
【図７】この発明に係る浴室用手摺の第２実施形態の使用状態を示す要部側面図である。
【図８】第２実施形態における下部横手摺体とセンターブラケットの取付状態を示す縦断面図である。
【図９】第２実施形態における下部横手摺体とセンターブラケットを示す分解断面図である。
【発明を実施するための形態】
【００２６】
以下に、この発明の実施形態を添付図面に基づいて詳細に説明する。
【００２７】
＜第１実施形態＞
この発明に係る第１実施形態の浴室用手摺は、図１に示すように、浴室における浴槽１の設置位置の近傍の壁部２における窓３の部分に互いに平行に対峙して固定される上部横手摺体１０ａ及び下部横手摺体１０ｂと、これら上部及び下部横手摺体１０ａ，１０ｂの間に垂直方向に配設されると共に、上部及び下部横手摺体１０ａ，１０ｂの長手方向に沿って移動可能な２本の縦手摺体１２とを具備する。この場合、上部及び下部横手摺体１０ａ，１０ｂと縦手摺体１２は、それぞれステンレス製のパイプ基部１１ａの表面に軟質樹脂材１１ｂが被覆されて、手摺を握持したときの違和感を少なくしている（図２〜図５参照）。
【００２８】
上部及び下部横手摺体１０ａ，１０ｂと縦手摺体１２は、これら横手摺体１０ａ，１０ｂを内包すると共に、縦手摺体１２の端部を連結するスライド及びロック機能を有する可動ブラケット１３によって連結されている。この可動ブラケット１３は、内部に上部及び下部横手摺体１０ａ，１０ｂを挟持するように横手摺体表面に接触する一対のローラ（図示せず）が縦手摺体１２の連結部に対して両側に回転自在に軸支されて、上部及び下部横手摺体１０ａ，１０ｂに対してスライド自在に構成されている。また、可動ブラケット１３はロックレバー１３ａを具備しており、このロックレバー１３ａの操作によって縦手摺体１２が上部及び下部横手摺体１０ａ，１０ｂの所定位置にロックされるようになっている。
【００２９】
上部横手摺体１０ａは、長手方向の両端を支持するエンドブラケット２０と、両端部より内方の窓３の外側位置を支持する中間ブラケット２１を介して壁部２に固定されている。
【００３０】
この場合、エンドブラケット２０は、図２に示すように、合成樹脂製部材にて形成されるエルボ状に形成されており、一端には上部横手摺体１０ａの端部を嵌挿する嵌挿溝２０ａが設けられ、他端に設けられた外向きフランジ部２０ｂに固定キャップ２２が回転自在に装着されている。このエンドブラケット２０を用いて上部横手摺体１０ａを固定する場合は、上部横手摺体１０ａの端部をエンドブラケット２０の嵌挿溝２０ａ内に嵌挿し、外方から挿入される固定ねじ２０ｃによって上部横手摺体１０ａの端部にエンドブラケット２０を固定した状態で、予めに固定ボルト２３と固定ナット２３ａによって壁部２に固定された固定座２４に固定キャップ２２をねじ結合することで、上部横手摺体１０ａの端部を壁部２に固定することができる。
【００３１】
また、中間ブラケット２１は、図３に示すように、開口部が若干拡径した有底筒状の合成樹脂製部材にて形成されており、底部２１ａに設けられた貫通孔２１ｂを貫通して上部横手摺体１０ａに固定されるアンカーボルト２５によって上部横手摺体１０ａの端部側側面に固定され、また、開口側に設けられた外向きフランジ部２１ｃに固定キャップ２２が回転自在に装着されている。この中間ブラケット２１を用いて上部横手摺体１０ａの端部側を固定する場合は、上部横手摺体１０ａの端部側側面にアンカーボルト２５によって中間ブラケット２１を取り付けた状態で、予め固定ボルト２３と固定ナット２３ａによって壁部２に固定された固定座２４に固定キャップ２２をねじ結合することで、上部横手摺体１０ａの端部側を壁部２に固定することができる。
【００３２】
一方、下部横手摺体１０ｂは、長手方向の両端を支持するエンドブラケット２０と、両端部より内方の窓３の外側位置を支持する中間ブラケット２１にそれぞれスペーサ３０を介して上部横手摺体１０ａよりも壁部２から離間して設けられている。
【００３３】
前記スペーサ３０は、図４及び図５に示すように、一端がエンドブラケット２０又は中間ブラケット（図４，図５では中間ブラケット２１を示す）の開口部側の径（具体的には固定キャップ２２の外径）と略同径に形成され、他端が拡径する有底截頭円錐状の合成樹脂製部材にて形成されている。なお、一端の底部３０ａから開口部に向かって円筒部３０ｂが延在して設けられている。このように形成されるスペーサ３０は、固定座２４と円筒部３０ｂを貫通して壁部２に固定される固定ボルト２３の固定座２４から突出した部分に座金３０ｃを介して固定ナット２３ａをねじ結合することで、壁部２に固定されるようになっている。
【００３４】
前記のように形成されるスペーサ３０を用いて下部横手摺体１０ｂを壁部２に固定する場合は、下部横手摺体１０ｂの端部側側面にアンカーボルト２５によって中間ブラケット２１を取り付けた状態で、予め固定ボルト２３と固定ナット２３ａによって壁部２にスペーサ３０を介して固定された固定座２４に固定キャップ２２をねじ結合することで、下部横手摺体１０ｂの端部側を上部横手摺体１０ａより離間した状態で壁部２に固定することができる。
【００３５】
なお、上記実施形態では中間ブラケット２１とスペーサ３０を介して下部横手摺体１０ｂを上部横手摺体１０ａより離間した状態で固定する場合について説明したが、エンドブラケット２０においても同様に、スペーサ３０を介して下部横手摺体１０ｂの端部を上部横手摺体１０ａより離間した状態で固定することができる。
【００３６】
このようにして下部横手摺体１０ｂを上部横手摺体１０ａよりも壁部２から離間した状態で固定することで、縦手摺体１２は下方に向かって壁部２から離間する傾斜状に設けられる。これにより、使用者は浴槽１内から下部横手摺体１０ｂや縦手摺体１２の下端部側を容易に掴むことができる。
【００３７】
前記のように構成される浴槽用手摺を壁部２に設置するには、工場等において、上部横手摺体１０ａ及び下部横手摺体１０ｂの両端部及びその内方位置にエンドブラケット２０と中間ブラケット２１を固定して取付現場に搬送する。
【００３８】
一方、取付現場の浴室４において、予め壁部２における窓３周辺の前記エンドブラケット２０及び中間ブラケット２１と対応する位置の壁部側に固定ボルト２３によって固定座２４を固定し、下部側に固定ボルト２３及び固定ナット２３ａによってスペーサ３０を介して固定座２４を固定する。
【００３９】
その後、取付現場に搬送された浴槽用手摺に固定されたエンドブラケット２０と中間ブラケット２１の固定キャップ２２をそれぞれ対応する固定座２４にねじ結合して、浴槽用手摺を浴室４の窓周辺の壁部２に設置する。
【００４０】
なお、縦手摺体１２は工場等において、上部横手摺体１０ａ及び下部横手摺体１０ｂに連結して組み立てる。
【００４１】
前記のようにして設置された第１実施形態の浴槽用手摺によれば、下部横手摺体１０ｂを上部横手摺体１０ａよりも壁部２から離間した状態で固定することで、縦手摺体１２は下方に向かって壁部２から離間する傾斜状に設けられるので、使用者は浴槽１内から下部横手摺体１０ｂや縦手摺体１２の下端部側を容易に掴むことができる。したがって、浴槽１と窓３との配置を考慮して使用者が安全に入浴することができる。また、窓３の上下に上部横手摺体１０ａと下部横手摺体１０ｂを取り付けるような場合においても、窓枠３ａをかわすことができるので、施工を容易に行うことができる。
【００４２】
また、上部横手摺体１０ａ及び下部横手摺体１０ｂのエンドブラケット２０及び中間ブラケット２１自体を共通化することができると共に、スペーサ３０を使用して壁部２からの離間間隔を調整することができるので、部品点数の削減及びコストの低廉化が図れると共に、浴槽１と壁部２との配置関係に応じて下部横手摺体１０ｂの壁部２からの離間間隔を容易に調整することができる。また、スペーサ３０は、一端がエンドブラケット２０及び中間ブラケット２１の径（具体的には固定キャップ２２の外径）と略同径に形成され、他端が拡径する截頭円錐状に形成されて壁部２に固定されるので、設置面積が大きくなり、荷重を有効に分散させることができる。
【００４３】
＜第２実施形態＞
第２実施形態は、第１実施形態の浴室用手摺の機能に加えて下部横手摺体１０ｂの補強を図ると共に、使用者の安全性に寄与できるようにした場合である。
【００４４】
すなわち、第２実施形態に係る浴室用手摺は、第１実施形態の浴室用手摺と同様に構成される下部横手摺体１０ｂの略中央部が、下部横手摺体１０ｂを下方から支持するエルボ状のセンターブラケット２６と、一端がセンターブラケット２６の径と略同径に形成され、他端が拡径する截頭円錐状に形成されるスペーサ３０とを介して壁部２に固定されている。また、下部横手摺体１０ｂは、その両端部が壁部２に隣接する側壁部２Ａに固定される横手摺体１０ｃに接続されて浴室入口まで延長される。
【００４５】
この場合、センターブラケット２６は、図８及び図９に示すように、下部横手摺体１０ｂの下面部を支持する下部横手摺体１０ｂと略同径の合成樹脂製の支持部材２６ａと、この支持部材２６ａに当接する上面が支持部材２６ａと同径を有する合成樹脂製のエルボ部材２６ｂと、支持部材２６ａとエルボ部材２６ｂの両当接面側に開口する周溝２６ｃ内に嵌挿され、支持部材２６ａの側方及びエルボ部材２６ｂの上部側方から貫挿される固定部材である固定ねじ２７ａ，２７ｂにより固定される筒状のジョイント金具２６ｄと、エルボ部材２６ｂの一端の当接面側に設けられる受けナット２６ｅと、下部横手摺体１０ｂと支持部材２６ａを貫通して受けナット２６ｅにねじ結合する取付ボルト２６ｆと、を具備する。
【００４６】
エルボ部材２６ｂの当接面側に設けられる受けナット２６ｅは、エルボ部材２６ｂの当接面側に開口する凹所２６ｇ内に遊嵌され、エルボ部材２６ｂの上部側方から貫挿される下方の固定ねじ２７ｂによって固定される。
【００４７】
下部横手摺体１０ｂと支持部材２６ａを貫通する取付ボルト２６ｆは、下部横手摺体１０ｂの略中央部の垂直方向に開設された貫通孔１１ｃを貫通すると共に、支持部材２６ａに設けられた貫通孔２６ｈを貫通してエルボ部材２６ｂに設けられた受けナット２６ｅにねじ結合される。このねじ結合後に固定ねじ２７ｂを本締めすることで、下部横手摺体１０ｂとセンターブラケット２６の結合を強固にすることができる。なお、取付ボルト２６ｆによって下部横手摺体１０ｂとセンターブラケット２６とを固定した後、下部横手摺体１０ｂに設けられた上方の貫通孔１１ｃにキャップ部材２６ｊが被着される。
【００４８】
また、エルボ部材２６ｂの他端の開口部には外向きフランジ部２６ｉが設けられており、この外向きフランジ部２６ｉに固定キャップ２２が回転自在に装着されている。
【００４９】
前記のように形成されるセンターブラケット２６とスペーサ３０を用いて下部横手摺体１０ｂを壁部２に固定する場合は、取付ボルト２６ｆと受けナット２６ｅによって下部横手摺体１０ｂの略中央部の下面にセンターブラケット２６を取り付けた状態で、予めに固定ボルト２３と固定ナット２３ａによって壁部２にスペーサ３０を介して固定された固定座２４に固定キャップ２２をねじ結合することで、下部横手摺体１０ｂの略中央部側を上部横手摺体１０ａより離間した状態で壁部２に固定することができる。
【００５０】
上部横手摺体１０ａより離間した状態で壁部２に固定される下部横手摺体１０ｂと壁部２に隣接する側壁部２Ａに固定される横手摺体１０ｃとはエルボ状の接続部材４０によって接続されている。なお、横手摺体１０ｃは、接続部材４０によって下部横手摺体１０ｂに接続された状態で、上部横手摺体１０ａと下部横手摺体１０ｂを壁部２に固定した後に、エンドブラケット２０及び中間ブラケット２１を介して側壁部２Ａに固定される。
【００５１】
なお、第２実施形態において、その他の部分は第１実施形態と同じであるので、同一部分には同一符号を付して説明は省略する。
【００５２】
前記のように構成される第２実施形態の浴槽用手摺によれば、第１実施形態と同様の効果が得られる他に以下のような効果が得られる。
【００５３】
すなわち、使用時に生じる下部横手摺体１０ｂの撓みを抑制し、縦手摺体１２のスライド動作に支障を来すのを防止することができるので、使用者は安全に使用することができる。また、スペーサ３０を使用して壁部２からの離間間隔を調整することができるので、浴槽１と壁部２との配置関係に応じて下部横手摺体１０ｂの壁部２からの離間間隔を容易に調整することができる。更に、スペーサ３０は、一端がセンターブラケット２６の径、具体的には受けナット２６ｅの外径と略同径に形成され、他端が拡径する截頭円錐状に形成されて壁部２に固定されるので、設置面積が大きくなり、荷重を有効に分散させることができる。
【００５４】
また、使用者はセンターブラケット２６が邪魔にならずに下部横手摺体１０ｂを容易に掴むことができるので、下部横手摺体１０ｂの広い範囲に渡って使用することができる。また、センターブラケット２６の主要部の支持部材２６ａとエルボ部材２６ｂを合成樹脂製部材にて形成し、支持部材２６ａとエルボ部材２６ｂをジョイント金具２６ｄにて連結するので、センターブラケット２６の強度を保ちつつ軽量かつ低コストを図ることができる。
【００５５】
加えて、下部横手摺体１０ｂを隣接する側壁部２Ａに延長して設けることで、浴室４の入口から伝い歩きが可能となるので、更に使用者に安心感を与えると共に、安全性に寄与することができる。
【００５６】
＜その他の実施形態＞
なお、前記実施形態では、縦手摺体１２が２本設けられる場合について説明したが、縦手摺体１２はこれに限定されるものではなく、必要に応じて１本あるいは３本以上設けるようにしてもよい。
【００５７】
また、第１実施形態において、第２実施形態と同様に、下部横手摺体１０ｂの端部に壁部２に隣接する側壁部２Ａに固定される横手摺体１０ｃを接続して浴室４の入口まで延長するようにしてもよい。
【符号の説明】
【００５８】
１  浴槽
２  壁部
２Ａ  側壁部
３  窓
４  浴室
１０ａ  上部横手摺体
１０ｂ  下部横手摺体
１０ｃ  横手摺体
１２  縦手摺体
１３  可動ブラケット
２０  エンドブラケット
２１  中間ブラケット
２２  固定キャップ
２４  固定座
２６  センターブラケット
２６ａ  支持部材
２６ｂ  エルボ部材
２６ｃ  周溝
２６ｄ  ジョイント金具
２６ｅ  受けナット
２６ｆ  取付ボルト
２７ａ，２７ｂ  固定ねじ
３０  スペーサ
４０  接続部材
【図１】
2014150810.tif 000003
【図２】
2014150810.tif 000004
【図３】
2014150810.tif 000005
【図４】
2014150810.tif 000006
【図５】
2014150810.tif 000007
【図６】
2014150810.tif 000008
【図７】
2014150810.tif 000009
【図８】
2014150810.tif 000010
【図９】
2014150810.tif 000011